(57)【要約】【課題】直列接続された複数のリレーの各々の接点表面の被膜を除去することができるリレー回路装置を提供する。【解決手段】リレー回路装置は、一端が第１のノードに接続され、他端が第２のノードに接続された負荷回路と、一端が第２のノードに接続され、他端が第３のノードに接続された第１のリレーと、一端が第３のノードに接続され、他端が第４のノードに接続された第２のリレーと、一端が第１のノードに接続され、他端が第２のノードに接続された第１の容量性回路と、一端が第１のノードに接続され、他端が第３のノードに接続された第２の容量性回路と、一端が第３のノードに接続され、他端が第４のノードに接続された第３の容量性回路と、を備える。【選択図】図１１
2019192404.tif 000002
【特許請求の範囲】
【請求項１】
一端が第１のノードに接続され、他端が第２のノードに接続された負荷回路と、
一端が前記第２のノードに接続され、他端が第３のノードに接続された第１のリレーと、
一端が前記第３のノードに接続され、他端が第４のノードに接続された第２のリレーと、
一端が前記第１のノードに接続され、他端が前記第２のノードに接続された第１の容量性回路と、
一端が前記第１のノードに接続され、他端が前記第３のノードに接続された第２の容量性回路と、
一端が前記第３のノードに接続され、他端が前記第４のノードに接続された第３の容量性回路と、
を備える、
ことを特徴とする、リレー回路装置。
【請求項２】
前記第１のノードと前記第３のノードとの間に接続された第１の抵抗と、
前記第３のノードと前記第４のノードとの間に接続された第２の抵抗と、
を更に備える、
ことを特徴とする請求項１に記載のリレー回路装置。
【請求項３】
前記第２の抵抗の抵抗値は、前記第１の抵抗の抵抗値と実質的に同じである、
ことを特徴とする請求項２に記載のリレー回路装置。
【請求項４】
一端が前記第２のリレーの他端に接続され、他端が前記第４のノードに接続され、前記第２のリレーと直列接続された第３のリレーと、
一端が前記第１のノードに接続され、他端が前記第２のリレーと前記第３のリレーとの接続点である第５のノードに接続された、第４の容量性回路と、
を更に備える、
ことを特徴とする、請求項１に記載のリレー回路装置。
【請求項５】
前記第１のノードと前記第３のノードとの間に接続された第１の抵抗と、
前記第３のノードと前記第４のノードとの間に接続された第２の抵抗と、
を更に備えることを特徴とする請求項４に記載のリレー回路装置。
【請求項６】
前記第２の抵抗の抵抗値は、前記第１の抵抗の抵抗値と実質的に同じである、
ことを特徴とする請求項５に記載のリレー回路装置。
【請求項７】
一端が前記第４のノードに接続され、他端が第６のノードに接続された第４のリレーと、
前記第４のノードと、前記第６のノードと、の間に接続された第５の容量性回路と、
を更に備える、
ことを特徴とする、請求項４に記載のリレー回路装置。
【請求項８】
前記第１のノードと前記第３のノードとの間に接続された第１の抵抗と、
前記第３のノードと前記第４のノードとの間に接続された第２の抵抗と、
前記第４のノードと前記第６のノードとの間に接続された第３の抵抗と、
を更に備える、
ことを特徴とする請求項７に記載のリレー回路装置。
【請求項９】
前記第２の抵抗及び前記第３の抵抗の抵抗値は、前記第１の抵抗の抵抗値と実質的に同じである、
ことを特徴とする請求項８に記載のリレー回路装置。
【請求項１０】
前記容量性回路は、コンデンサを含む、
ことを特徴とする、請求項１から９のいずれか１項に記載のリレー回路装置。
【請求項１１】
前記容量性回路は、前記コンデンサに直列接続された抵抗を更に含む、
ことを特徴とする、請求項１０に記載のリレー回路装置。
【発明の詳細な説明】
【技術分野】
【０００１】
本発明は、リレー回路装置に関する。
【背景技術】
【０００２】
メカニカル式のリレーは、周囲環境によっては、接点間の導通が良好ではなくなってしまう場合がある。その原因は、接点表面に酸化被膜、硫化被膜、塩化被膜等が発生することである。そのような接点表面の被膜を除去するために、接点間にアークを発生させることが行われている。
【０００３】
関連する技術として、特許文献１には、直流駆動用電磁リレーの酸化膜除去方法が記載されている。
【０００４】
複数のリレーが直列接続される場合がある。この場合、複数のリレーの各々の接点表面の被膜を除去できることが、望ましい。
【先行技術文献】
【特許文献】
【０００５】
【特許文献１】特開２００２−１６３９６８号公報
【発明の概要】
【発明が解決しようとする課題】
【０００６】
本発明は、直列接続された複数のリレーの各々の接点表面の被膜を除去することができるリレー回路装置を提供することを目的とする。
【課題を解決するための手段】
【０００７】
本発明の一態様のリレー回路装置は、
一端が第１のノードに接続され、他端が第２のノードに接続された負荷回路と、
一端が前記第２のノードに接続され、他端が第３のノードに接続された第１のリレーと、
一端が前記第３のノードに接続され、他端が第４のノードに接続された第２のリレーと、
一端が前記第１のノードに接続され、他端が前記第２のノードに接続された第１の容量性回路と、
一端が前記第１のノードに接続され、他端が前記第３のノードに接続された第２の容量性回路と、
一端が前記第３のノードに接続され、他端が前記第４のノードに接続された第３の容量性回路と、
を備える、
ことを特徴とする。
【０００８】
前記リレー回路装置において、
前記第１のノードと前記第３のノードとの間に接続された第１の抵抗と、
前記第３のノードと前記第４のノードとの間に接続された第２の抵抗と、
を更に備える、
ことを特徴とする。
【０００９】
前記リレー回路装置において、
前記第２の抵抗の抵抗値は、前記第１の抵抗の抵抗値と実質的に同じである、
ことを特徴とする。
【００１０】
前記リレー回路装置において、
一端が前記第２のリレーの他端に接続され、他端が前記第４のノードに接続され、前記第２のリレーと直列接続された第３のリレーと、
一端が前記第１のノードに接続され、他端が前記第２のリレーと前記第３のリレーとの接続点である第５のノードに接続された、第４の容量性回路と、
を更に備える、
ことを特徴とする。
【００１１】
前記リレー回路装置において、
前記第１のノードと前記第３のノードとの間に接続された第１の抵抗と、
前記第３のノードと前記第４のノードとの間に接続された第２の抵抗と、
を更に備える、
ことを特徴とする。
【００１２】
前記リレー回路装置において、
前記第２の抵抗の抵抗値は、前記第１の抵抗の抵抗値と実質的に同じである、
ことを特徴とする。
【００１３】
前記リレー回路装置において、
一端が前記第４のノードに接続され、他端が第６のノードに接続された第４のリレーと、
前記第４のノードと、前記第６のノードと、の間に接続された第５の容量性回路と、
を更に備える、
ことを特徴とする。
【００１４】
前記リレー回路装置において、
前記第１のノードと前記第３のノードとの間に接続された第１の抵抗と、
前記第３のノードと前記第４のノードとの間に接続された第２の抵抗と、
前記第４のノードと前記第６のノードとの間に接続された第３の抵抗と、
を更に備える、
ことを特徴とする。
【００１５】
前記リレー回路装置において、
前記第２の抵抗及び前記第３の抵抗の抵抗値は、前記第１の抵抗の抵抗値と実質的に同じである、
ことを特徴とする。
【００１６】
前記リレー回路装置において、
前記容量性回路は、コンデンサを含む、
ことを特徴とする。
【００１７】
前記リレー回路装置において、
前記容量性回路は、前記コンデンサに直列接続された抵抗を更に含む、
ことを特徴とする。
【発明の効果】
【００１８】
本発明の一態様のリレー回路装置は、直列接続された複数のリレーの各々の接点表面の被膜を除去することができるという効果を奏する。
【図面の簡単な説明】
【００１９】
【図１】図１は、複数のリレーが直列接続される適用例を示す図である。
【図２】図２は、比較例の回路構成を示す図である。
【図３】図３は、第１の実施の形態のリレー回路装置の回路構成を示す図である。
【図４】図４は、第１の実施の形態のリレー回路装置のリレーがオンする順序のパターンを示す図である。
【図５】図５は、第１の実施の形態のリレー回路装置のリレーがオンする様子を説明する図である。
【図６】図６は、第１の実施の形態のリレー回路装置のリレーがオンする様子を説明する図である。
【図７】図７は、第１の実施の形態のリレー回路装置のリレーがオンする様子を説明する図である。
【図８】図８は、第１の実施の形態のリレー回路装置のリレーがオンする様子を説明する図である。
【図９】図９は、第１の実施の形態のリレー回路装置のリレーがオンする様子を説明する図である。
【図１０】図１０は、第１の実施の形態のリレー回路装置のリレーがオンする様子を説明する図である。
【図１１】図１１は、第２の実施の形態のリレー回路装置の回路構成を示す図である。
【図１２】図１２は、第２の実施の形態のリレー回路装置のリレーがオンする順序のパターンを示す図である。
【図１３】図１３は、第２の実施の形態のリレー回路装置のリレーがオンする様子を説明する図である。
【図１４】図１４は、第２の実施の形態のリレー回路装置のリレーがオンする様子を説明する図である。
【図１５】図１５は、第３の実施の形態のリレー回路装置の回路構成を示す図である。
【発明を実施するための形態】
【００２０】
以下に、本発明のリレー回路装置の実施の形態を図面に基づいて詳細に説明する。なお、この実施の形態により本発明が限定されるものではない。
【００２１】
実施の形態の理解を容易にするために、複数のリレーが直列接続される適用例及び比較例について説明する。
【００２２】
（複数のリレーが直列接続される適用例）
図１は、複数のリレーが直列接続される適用例を示す図である。リレー回路装置１００は、第１のリレー１０１と、第２のリレー１０２と、第３のリレー１０３と、負荷回路１０４と、直流の電源１０５と、制御部１０６と、を含む。
【００２３】
第１のリレー１０１、第２のリレー１０２及び第３のリレー１０３は、駆動信号（励磁電流）でオン又はオフに制御される、メカニカル式のリレーである。
【００２４】
第１のリレー１０１は、第１の部分１０１ａと、第２の部分１０１ｂと、を含む。第１の部分１０１ａ及び第２の部分１０１ｂは、共通の駆動信号で駆動される。第２のリレー１０２は、第１の部分１０２ａと、第２の部分１０２ｂと、を含む。第１の部分１０２ａ及び第２の部分１０２ｂは、共通の駆動信号で駆動される。第３のリレー１０３は、第１の部分１０３ａと、第２の部分１０３ｂと、を含む。第１の部分１０３ａ及び第２の部分１０３ｂは、共通の駆動信号で駆動される。
【００２５】
第１の部分１０１ａ、第１の部分１０２ａ、第１の部分１０３ａ、負荷回路１０４及び電源１０５は、直列に接続されている。
【００２６】
制御部１０６は、駆動信号を、第１のリレー１０１、第２のリレー１０２及び第３のリレー１０３に出力する。
【００２７】
第１の部分１０１ａ及び第２の部分１０１ｂの各々は、駆動信号が制御部１０６から入力されたら、接点間が導通する。第２の部分１０１ｂの接点間が導通すると、Ｕ相の供給ラインが導通する。
【００２８】
第１の部分１０２ａ及び第２の部分１０２ｂの各々は、駆動信号が制御部１０６から入力されたら、接点間が導通する。第２の部分１０２ｂの接点間が導通すると、Ｖ相の供給ラインが導通する。
【００２９】
第１の部分１０３ａ及び第２の部分１０３ｂの各々は、駆動信号が制御部１０６から入力されたら、接点間が導通する。第２の部分１０３ｂの接点間が導通すると、Ｗ相の供給ラインが導通する。
【００３０】
このように、リレー回路装置１００は、第１のリレー１０１、第２のリレー１０２及び第３のリレー１０３がオンすることで、ＵＶＷ相をオンできる。
【００３１】
（比較例）
図２は、比較例の回路構成を示す図である。リレー回路装置１１０は、第１のリレー１０１、第２のリレー１０２、第３のリレー１０３、負荷回路１０４及び電源１０５に加えて、容量性回路１１１を含む。容量性回路１１１は、直列接続されたコンデンサ１１２及び抵抗１１３を含む。容量性回路１１１は、負荷回路１０４に並列接続されている。
【００３２】
なお、図２では、第１のリレー１０１、第２のリレー１０２及び第３のリレー１０３の各々の第１の部分だけを図示し、第２の部分の図示を省略している。また、図２では、制御部１０６の図示を省略している。
【００３３】
第１のリレー１０１、第２のリレー１０２及び第３のリレー１０３は、個体差により、オフ状態からオン状態に遷移する動作時間にばらつきがある。リレー回路装置１１０では、第１のリレー１０１、第２のリレー１０２及び第３のリレー１０３の内の最後にオンしたリレー、つまり動作時間が最も長いリレーでだけ、容量性回路１１１に流入する突入電流によるアークが、接点間に発生する。
【００３４】
従って、第１のリレー１０１、第２のリレー１０２及び第３のリレー１０３の内の動作時間が最も長いリレーでは、接点表面の被膜を除去でき、接点間の導通を良好に維持できる。しかし、他の２個のリレーでは、アークが接点間に発生しない。従って、他の２個のリレーでは、接点表面の被膜を除去できず、接点間の導通を良好に維持できない。
【００３５】
（第１の実施の形態）
図３は、第１の実施の形態のリレー回路装置の回路構成を示す図である。リレー回路装置１は、第１のリレーＲＬ１と、第２のリレーＲＬ２と、第３のリレーＲＬ３と、負荷回路２と、直流の電源３と、第１の容量性回路１１と、第２の容量性回路１２と、第３の容量性回路１３と、第４の容量性回路１４と、第１の抵抗２１と、第２の抵抗２２と、を含む。
【００３６】
なお、図３では、第１のリレーＲＬ１、第２のリレーＲＬ２及び第３のリレーＲＬ３の各々の第１の部分だけを図示し、第２の部分の図示を省略している。また、図３では、制御部の図示を省略している。
【００３７】
負荷回路２は、一端が第１のノードＮ１に接続され、他端が第２のノードＮ２に接続されている。
【００３８】
第１のリレーＲＬ１は、一端が第２のノードＮ２に接続され、他端が第３のノードＮ３に接続されている。
【００３９】
第２のリレーＲＬ２は、一端が第３のノードＮ３に接続され、他端が第５のノードＮ５に接続されている。
【００４０】
第３のリレーＲＬ３は、一端が第５のノードＮ５に接続され、他端が第４のノードＮ４に接続されている。
【００４１】
第１の容量性回路１１は、一端が第１のノードＮ１に接続され、他端が第２のノードＮ２に接続されている。
【００４２】
第２の容量性回路１２は、一端が第１のノードＮ１に接続され、他端が第３のノードＮ３に接続されている。
【００４３】
第３の容量性回路１３は、一端が第３のノードＮ３に接続され、他端が第４のノードＮ４に接続されている。
【００４４】
第４の容量性回路１４は、一端が第１のノードＮ１に接続され、他端が第５のノードＮ５に接続されている。
【００４５】
第１の抵抗２１は、一端が第１のノードＮ１に接続され、他端が第３のノードＮ３に接続されている。
【００４６】
第２の抵抗２２は、一端が第３のノードＮ３に接続され、他端が第４のノードＮ４に接続されている。
【００４７】
電源３の負極は、第１のノードＮ１に接続され、電源３の正極は、第４のノードＮ４に接続されている。なお、電源３の負極は、第４のノードＮ４に接続され、電源３の正極は、第１のノードＮ１に接続されても良い。
【００４８】
第２の容量性回路１２と第３の容量性回路１３との直列回路は、初期時において、電源３により、充電されている。
【００４９】
第１の容量性回路１１から第４の容量性回路１４の各々は、抵抗とコンデンサとが直列接続されたＲＣ直列回路とするが、これに限定されない。第１の容量性回路１１から第４の容量性回路１４の各々は、コンデンサでも良い。但し、第１の容量性回路１１から第４の容量性回路１４の各々がコンデンサであるとすると、第１の容量性回路１１から第４の容量性回路１４の各々に流入する突入電流が、インパルス状の、ピーク値が非常に大きな電流となる。そのため、第１のリレーＲＬ１から第３のリレーＲＬ３の接点間が溶着する可能性がある。そこで、第１の容量性回路１１から第４の容量性回路１４の各々をＲＣ直列回路とすることが好ましい。これにより、突入電流のピーク値を抑制でき、第１のリレーＲＬ１から第３のリレーＲＬ３の接点間が溶着する可能性を抑制できる。
【００５０】
また、第１の抵抗２１及び第２の抵抗２２は、無くても良い。但し、第１の抵抗２１及び第２の抵抗２２を設けることで、第３のノードＮ３の電圧を、電源３の電圧を第１の抵抗２１及び第２の抵抗２２で抵抗分割した電圧に設定できるので、好ましい。第１の抵抗２１の抵抗値と、第２の抵抗２２の抵抗値と、は、実質的に同じであることが好ましい。これにより、第２の容量性回路１２の初期時の電圧と、第３の容量性回路１３の初期時の電圧と、を実質的に同じにすることができる。
【００５１】
図４は、第１の実施の形態のリレー回路装置のリレーがオンする順序のパターンを示す図である。第１のリレーＲＬ１から第３のリレーＲＬ３がオンする順序は、３！＝６であるので、図４に示す通り、全部で６パターンある。
【００５２】
図５は、第１の実施の形態のリレー回路装置のリレーがオンする様子を説明する図である。図５は、第１のリレーＲＬ１から第３のリレーＲＬ３が、図４中の第１のパターンでオンする様子を説明する図である。つまり、図５は、第１のリレーＲＬ１から第３のリレーＲＬ３が、第１のリレーＲＬ１→第２のリレーＲＬ２→第３のリレーＲＬ３の順序でオンする様子を説明する図である。
【００５３】
第１のリレーＲＬ１がオン状態になると、図５（ａ）中の点線２００で示すように、電源３→第３の容量性回路１３→第１のリレーＲＬ１→第１の容量性回路１１→電源３の経路に、突入電流が流れる。これにより、第１のリレーＲＬ１では、接点間にアークが発生し、接点表面の被膜を除去でき、接点間の導通を良好に維持できる。
【００５４】
なお、このとき、一点鎖線２０１で示すように、第２の容量性回路１２→第１のリレーＲＬ１→第１の容量性回路１１→第２の容量性回路１２の経路で、第２の容量性回路１２の電荷が放電される。
【００５５】
次に、第２のリレーＲＬ２がオン状態になると、図５（ｂ）中の点線２０２で示すように、電源３→第３の容量性回路１３→第２のリレーＲＬ２→第４の容量性回路１４→電源３の経路に、突入電流が流れる。これにより、第２のリレーＲＬ２では、接点間にアークが発生し、接点表面の被膜を除去でき、接点間の導通を良好に維持できる。
【００５６】
次に、第３のリレーＲＬ３がオン状態になると、図５（ｃ）中の点線２０３で示すように、電源３→第３のリレーＲＬ３→第２のリレーＲＬ２→第２の容量性回路１２→電源３の経路に、突入電流が流れる。これにより、第３のリレーＲＬ３では、接点間にアークが発生し、接点表面の被膜を除去でき、接点間の導通を良好に維持できる。
【００５７】
なお、このとき、一点鎖線２０４で示すように、第３の容量性回路１３→第３のリレーＲＬ３→第３の容量性回路１３の経路で、第３の容量性回路１３の電荷が放電される。
【００５８】
このように、リレー回路装置１では、第１のパターンにおいて、第１のリレーＲＬ１、第２のリレーＲＬ２及び第３のリレーＲＬ３の全部で、突入電流によるアークが接点間に発生する。従って、第１のリレーＲＬ１、第２のリレーＲＬ２及び第３のリレーＲＬ３の全部で、接点表面の被膜を除去でき、接点間の導通を良好に維持できる。
【００５９】
図６は、第１の実施の形態のリレー回路装置のリレーがオンする様子を説明する図である。図６は、第１のリレーＲＬ１から第３のリレーＲＬ３が、図４中の第２のパターンでオンする様子を説明する図である。つまり、図６は、第１のリレーＲＬ１から第３のリレーＲＬ３が、第１のリレーＲＬ１→第３のリレーＲＬ３→第２のリレーＲＬ２の順序でオンする様子を説明する図である。
【００６０】
第１のリレーＲＬ１がオン状態になると、図６（ａ）中の点線２０５で示すように、電源３→第３の容量性回路１３→第１のリレーＲＬ１→第１の容量性回路１１→電源３の経路に、突入電流が流れる。これにより、第１のリレーＲＬ１では、接点間にアークが発生し、接点表面の被膜を除去でき、接点間の導通を良好に維持できる。
【００６１】
なお、このとき、図６（ａ）中の一点鎖線２０６で示すように、第２の容量性回路１２→第１のリレーＲＬ１→第１の容量性回路１１→第２の容量性回路１２の経路で、第２の容量性回路１２の電荷が放電される。
【００６２】
次に、第３のリレーＲＬ３がオン状態になると、図６（ｂ）中の点線２０７で示すように、電源３→第３のリレーＲＬ３→第４の容量性回路１４→電源３の経路に、突入電流が流れる。これにより、第３のリレーＲＬ３では、接点間にアークが発生し、接点表面の被膜を除去でき、接点間の導通を良好に維持できる。
【００６３】
次に、第２のリレーＲＬ２がオン状態になると、図６（ｃ）中の点線２０８で示すように、電源３→第３のリレーＲＬ３→第２のリレーＲＬ２→第２の容量性回路１２→電源３の経路に、突入電流が流れる。これにより、第２のリレーＲＬ２では、接点間にアークが発生し、接点表面の被膜を除去でき、接点間の導通を良好に維持できる。
【００６４】
なお、このとき、図６（ｃ）中の一点鎖線２０９で示すように、第３の容量性回路１３→第３のリレーＲＬ３→第３の容量性回路１３の経路で、第３の容量性回路１３の電荷が放電される。
【００６５】
このように、リレー回路装置１では、第２のパターンにおいて、第１のリレーＲＬ１、第２のリレーＲＬ２及び第３のリレーＲＬ３の全部で、突入電流によるアークが接点間に発生する。従って、第１のリレーＲＬ１、第２のリレーＲＬ２及び第３のリレーＲＬ３の全部で、接点表面の被膜を除去でき、接点間の導通を良好に維持できる。
【００６６】
図７は、第１の実施の形態のリレー回路装置のリレーがオンする様子を説明する図である。図７は、第１のリレーＲＬ１から第３のリレーＲＬ３が、図４中の第３のパターンでオンする様子を説明する図である。つまり、図７は、第１のリレーＲＬ１から第３のリレーＲＬ３が、第２のリレーＲＬ２→第１のリレーＲＬ１→第３のリレーＲＬ３の順序でオンする様子を説明する図である。
【００６７】
第２のリレーＲＬ２がオン状態になると、図７（ａ）中の点線２１０で示すように、電源３→第３の容量性回路１３→第２のリレーＲＬ２→第４の容量性回路１４→電源３の経路に、突入電流が流れる。これにより、第２のリレーＲＬ２では、接点間にアークが発生し、接点表面の被膜を除去でき、接点間の導通を良好に維持できる。
【００６８】
なお、このとき、図７（ａ）中の一点鎖線２１１で示すように、第２の容量性回路１２→第２のリレーＲＬ２→第４の容量性回路１４→第２の容量性回路１２の経路で、第２の容量性回路１２の電荷が放電される。
【００６９】
次に、第１のリレーＲＬ１がオン状態になると、図７（ｂ）中の点線２１２で示すように、電源３→第３の容量性回路１３→第１のリレーＲＬ１→第１の容量性回路１１→電源３の経路に、突入電流が流れる。これにより、第１のリレーＲＬ１では、接点間にアークが発生し、接点表面の被膜を除去でき、接点間の導通を良好に維持できる。
【００７０】
なお、このとき、図７（ｂ）中の一点鎖線２１３で示すように、第２の容量性回路１２→第１のリレーＲＬ１→第１の容量性回路１１→第２の容量性回路１２の経路で、第２の容量性回路１２の電荷が放電される。
【００７１】
次に、第３のリレーＲＬ３がオン状態になると、図７（ｃ）中の点線２１４で示すように、電源３→第３のリレーＲＬ３→第４の容量性回路１４→電源３の経路に、突入電流が流れる。また、図７（ｃ）中の点線２１５で示すように、電源３→第３のリレーＲＬ３→第２のリレーＲＬ２→第１のリレーＲＬ１→第１の容量性回路１１→電源３の経路に、突入電流が流れる。また、図７（ｃ）中の点線２１６で示すように、電源３→第３のリレーＲＬ３→第２のリレーＲＬ２→第２の容量性回路１２→電源３の経路に、突入電流が流れる。これにより、第３のリレーＲＬ３では、接点間にアークが発生し、接点表面の被膜を除去でき、接点間の導通を良好に維持できる。
【００７２】
このように、リレー回路装置１では、第３のパターンにおいて、第１のリレーＲＬ１、第２のリレーＲＬ２及び第３のリレーＲＬ３の全部で、突入電流によるアークが接点間に発生する。従って、第１のリレーＲＬ１、第２のリレーＲＬ２及び第３のリレーＲＬ３の全部で、接点表面の被膜を除去でき、接点間の導通を良好に維持できる。
【００７３】
図８は、第１の実施の形態のリレー回路装置のリレーがオンする様子を説明する図である。図８は、第１のリレーＲＬ１から第３のリレーＲＬ３が、図４中の第４のパターンでオンする様子を説明する図である。つまり、図８は、第１のリレーＲＬ１から第３のリレーＲＬ３が、第２のリレーＲＬ２→第３のリレーＲＬ３→第１のリレーＲＬ１の順序でオンする様子を説明する図である。
【００７４】
第２のリレーＲＬ２がオン状態になると、図８（ａ）中の点線２１７で示すように、電源３→第３の容量性回路１３→第２のリレーＲＬ２→第４の容量性回路１４→電源３の経路に、突入電流が流れる。これにより、第２のリレーＲＬ２では、接点間にアークが発生し、接点表面の被膜を除去でき、接点間の導通を良好に維持できる。
【００７５】
なお、このとき、図８（ａ）中の一点鎖線２１８で示すように、第２の容量性回路１２→第２のリレーＲＬ２→第４の容量性回路１４→第２の容量性回路１２の経路で、第２の容量性回路１２の電荷が放電される。
【００７６】
次に、第３のリレーＲＬ３がオン状態になると、図８（ｂ）中の点線２１９で示すように、電源３→第３のリレーＲＬ３→第４の容量性回路１４→電源３の経路に、突入電流が流れる。また、図８（ｂ）中の点線２２０で示すように、電源３→第３のリレーＲＬ３→第２のリレーＲＬ２→第２の容量性回路１２→電源３の経路に、突入電流が流れる。これにより、第３のリレーＲＬ３では、接点間にアークが発生し、接点表面の被膜を除去でき、接点間の導通を良好に維持できる。
【００７７】
なお、このとき、図８（ｂ）中の一点鎖線２２１で示すように、第３の容量性回路１３→第３のリレーＲＬ３→第２のリレーＲＬ２→第３の容量性回路１３の経路で、第３の容量性回路１３の電荷が放電される。
【００７８】
次に、第１のリレーＲＬ１がオン状態になると、図８（ｃ）中の点線２２２で示すように、電源３→第３のリレーＲＬ３→第２のリレーＲＬ２→第１のリレーＲＬ１→第１の容量性回路１１→電源３の経路に、突入電流が流れる。これにより、第１のリレーＲＬ１では、接点間にアークが発生し、接点表面の被膜を除去でき、接点間の導通を良好に維持できる。
【００７９】
このように、リレー回路装置１では、第４のパターンにおいて、第１のリレーＲＬ１、第２のリレーＲＬ２及び第３のリレーＲＬ３の全部で、突入電流によるアークが接点間に発生する。従って、第１のリレーＲＬ１、第２のリレーＲＬ２及び第３のリレーＲＬ３の全部で、接点表面の被膜を除去でき、接点間の導通を良好に維持できる。
【００８０】
図９は、第１の実施の形態のリレー回路装置のリレーがオンする様子を説明する図である。図９は、第１のリレーＲＬ１から第３のリレーＲＬ３が、図４中の第５のパターンでオンする様子を説明する図である。つまり、図９は、第１のリレーＲＬ１から第３のリレーＲＬ３が、第３のリレーＲＬ３→第１のリレーＲＬ１→第２のリレーＲＬ２の順序でオンする様子を説明する図である。
【００８１】
第３のリレーＲＬ３がオン状態になると、図９（ａ）中の点線２２３で示すように、電源３→第３のリレーＲＬ３→第４の容量性回路１４→電源３の経路に、突入電流が流れる。これにより、第３のリレーＲＬ３では、接点間にアークが発生し、接点表面の被膜を除去でき、接点間の導通を良好に維持できる。
【００８２】
次に、第１のリレーＲＬ１がオン状態になると、図９（ｂ）中の点線２２４で示すように、電源３→第３の容量性回路１３→第１のリレーＲＬ１→第１の容量性回路１１→電源３の経路に、突入電流が流れる。これにより、第１のリレーＲＬ１では、接点間にアークが発生し、接点表面の被膜を除去でき、接点間の導通を良好に維持できる。
【００８３】
次に、第２のリレーＲＬ２がオン状態になると、図９（ｃ）中の点線２２５で示すように、電源３→第３のリレーＲＬ３→第２のリレーＲＬ２→第１のリレーＲＬ１→第１の容量性回路１１→電源３の経路に、突入電流が流れる。また、図９（ｃ）中の点線２２６で示すように、電源３→第３のリレーＲＬ３→第２のリレーＲＬ２→第２の容量性回路１２→電源３の経路に、突入電流が流れる。これにより、第２のリレーＲＬ２では、接点間にアークが発生し、接点表面の被膜を除去でき、接点間の導通を良好に維持できる。
【００８４】
このように、リレー回路装置１では、第５のパターンにおいて、第１のリレーＲＬ１、第２のリレーＲＬ２及び第３のリレーＲＬ３の全部で、突入電流によるアークが接点間に発生する。従って、第１のリレーＲＬ１、第２のリレーＲＬ２及び第３のリレーＲＬ３の全部で、接点表面の被膜を除去でき、接点間の導通を良好に維持できる。
【００８５】
図１０は、第１の実施の形態のリレー回路装置のリレーがオンする様子を説明する図である。図１０は、第１のリレーＲＬ１から第３のリレーＲＬ３が、図４中の第６のパターンでオンする様子を説明する図である。つまり、図１０は、第１のリレーＲＬ１から第３のリレーＲＬ３が、第３のリレーＲＬ３→第２のリレーＲＬ２→第１のリレーＲＬ１の順序でオンする様子を説明する図である。
【００８６】
第３のリレーＲＬ３がオン状態になると、図１０（ａ）中の点線２２７で示すように、電源３→第３のリレーＲＬ３→第４の容量性回路１４→電源３の経路に、突入電流が流れる。これにより、第３のリレーＲＬ３では、接点間にアークが発生し、接点表面の被膜を除去でき、接点間の導通を良好に維持できる。
【００８７】
次に、第２のリレーＲＬ２がオン状態になると、図１０（ｂ）中の点線２２８で示すように、電源３→第３のリレーＲＬ３→第２のリレーＲＬ２→第２の容量性回路１２→電源３の経路に、突入電流が流れる。これにより、第２のリレーＲＬ２では、接点間にアークが発生し、接点表面の被膜を除去でき、接点間の導通を良好に維持できる。
【００８８】
なお、このとき、図１０（ｂ）中の一点鎖線２２９で示すように、第３の容量性回路１３→第３のリレーＲＬ３→第２のリレーＲＬ２→第３の容量性回路１３の経路で、第３の容量性回路１３の電荷が放電される。
【００８９】
次に、第１のリレーＲＬ１がオン状態になると、図１０（ｃ）中の点線２３０で示すように、電源３→第３のリレーＲＬ３→第２のリレーＲＬ２→第１のリレーＲＬ１→第１の容量性回路１１→電源３の経路に、突入電流が流れる。これにより、第１のリレーＲＬ１では、接点間にアークが発生し、接点表面の被膜を除去でき、接点間の導通を良好に維持できる。
【００９０】
このように、リレー回路装置１では、第６のパターンにおいて、第１のリレーＲＬ１、第２のリレーＲＬ２及び第３のリレーＲＬ３の全部で、突入電流によるアークが接点間に発生する。従って、第１のリレーＲＬ１、第２のリレーＲＬ２及び第３のリレーＲＬ３の全部で、接点表面の被膜を除去でき、接点間の導通を良好に維持できる。
【００９１】
以上説明したように、リレー回路装置１によれば、６パターンの内のどのパターンであっても、第１のリレーＲＬ１、第２のリレーＲＬ２及び第３のリレーＲＬ３の全部で、突入電流によるアークが接点間に発生する。従って、第１のリレーＲＬ１、第２のリレーＲＬ２及び第３のリレーＲＬ３の全部で、接点表面の被膜を除去でき、接点間の導通を良好に維持できる。
【００９２】
（第２の実施の形態）
図１１は、第２の実施の形態のリレー回路装置の回路構成を示す図である。リレー回路装置３０は、第１の実施の形態のリレー回路装置１と比較して、第３のリレーＲＬ３と、第４の容量性回路１４と、を含んでいない。
【００９３】
第２のリレーＲＬ２は、一端が第３のノードＮ３に接続され、他端が第４のノードＮ４に接続されている。
【００９４】
リレー回路装置３０は、その他の点では、リレー回路装置１と同様であるので、説明を省略する。
【００９５】
図１２は、第２の実施の形態のリレー回路装置のリレーがオンする順序のパターンを示す図である。第１のリレーＲＬ１及び第２のリレーＲＬ２がオンする順序は、２！＝２であるので、図１２に示す通り、全部で２パターンある。
【００９６】
図１３は、第２の実施の形態のリレー回路装置のリレーがオンする様子を説明する図である。図１３は、第１のリレーＲＬ１及び第２のリレーＲＬ２が、図１２中の第１のパターンでオンする様子を説明する図である。つまり、図１３は、第１のリレーＲＬ１及び第２のリレーＲＬ２が、第１のリレーＲＬ１→第２のリレーＲＬ２の順序でオンする様子を説明する図である。
【００９７】
第１のリレーＲＬ１がオン状態になると、図１３（ａ）中の点線２３１で示すように、電源３→第３の容量性回路１３→第１のリレーＲＬ１→第１の容量性回路１１→電源３の経路に、突入電流が流れる。これにより、第１のリレーＲＬ１では、接点間にアークが発生し、接点表面の被膜を除去でき、接点間の導通を良好に維持できる。
【００９８】
なお、このとき、図１３（ａ）中の一点鎖線２３２で示すように、第２の容量性回路１２→第１のリレーＲＬ１→第１の容量性回路１１→第２の容量性回路１２の経路で、第２の容量性回路１２の電荷が放電される。
【００９９】
次に、第２のリレーＲＬ２がオン状態になると、図１３（ｂ）中の点線２３３で示すように、電源３→第２のリレーＲＬ２→第１のリレーＲＬ１→第１の容量性回路１１→電源３の経路に、突入電流が流れる。また、図１３（ｂ）中の点線２３４で示すように、電源３→第２のリレーＲＬ２→第２の容量性回路１２→電源３の経路に、突入電流が流れる。これにより、第２のリレーＲＬ２では、接点間にアークが発生し、接点表面の被膜を除去でき、接点間の導通を良好に維持できる。
【０１００】
なお、このとき、図１３（ｂ）中の一点鎖線２３５で示すように、第３の容量性回路１３→第２のリレーＲＬ２→第３の容量性回路１３の経路で、第３の容量性回路１３の電荷が放電される。
【０１０１】
このように、リレー回路装置３０では、第１のパターンにおいて、第１のリレーＲＬ１及び第２のリレーＲＬ２の全部で、突入電流によるアークが接点間に発生する。従って、第１のリレーＲＬ１及び第２のリレーＲＬ２の全部で、接点表面の被膜を除去でき、接点間の導通を良好に維持できる。
【０１０２】
図１４は、第２の実施の形態のリレー回路装置のリレーがオンする様子を説明する図である。図１４は、第１のリレーＲＬ１及び第２のリレーＲＬ２が、図１２中の第２のパターンでオンする様子を説明する図である。つまり、図１４は、第１のリレーＲＬ１及び第２のリレーＲＬ２が、第２のリレーＲＬ２→第１のリレーＲＬ１の順序でオンする様子を説明する図である。
【０１０３】
第２のリレーＲＬ２がオン状態になると、図１４（ａ）中の点線２３６で示すように、電源３→第２のリレーＲＬ２→第２の容量性回路１２→電源３の経路に、突入電流が流れる。これにより、第２のリレーＲＬ２では、接点間にアークが発生し、接点表面の被膜を除去でき、接点間の導通を良好に維持できる。
【０１０４】
なお、このとき、図１４（ａ）中の一点鎖線２３７で示すように、第３の容量性回路１３→第２のリレーＲＬ２→第３の容量性回路１３の経路で、第３の容量性回路１３の電荷が放電される。
【０１０５】
次に、第１のリレーＲＬ１がオン状態になると、図１４（ｂ）中の点線２３８で示すように、電源３→第２のリレーＲＬ２→第１のリレーＲＬ１→第１の容量性回路１１→電源３の経路に、突入電流が流れる。これにより、第１のリレーＲＬ１では、接点間にアークが発生し、接点表面の被膜を除去でき、接点間の導通を良好に維持できる。
【０１０６】
なお、このとき、図１４（ｂ）中の一点鎖線２３９で示すように、第２の容量性回路１２→第１のリレーＲＬ１→第１の容量性回路１１→第２の容量性回路１２の経路で、第２の容量性回路１２の電荷が放電される。
【０１０７】
このように、リレー回路装置３０では、第２のパターンにおいて、第１のリレーＲＬ１及び第２のリレーＲＬ２の全部で、突入電流によるアークが接点間に発生する。従って、第１のリレーＲＬ１及び第２のリレーＲＬ２の全部で、接点表面の被膜を除去でき、接点間の導通を良好に維持できる。
【０１０８】
（第３の実施の形態）
図１５は、第３の実施の形態のリレー回路装置の回路構成を示す図である。リレー回路装置４０は、第１の実施の形態のリレー回路装置１と比較して、第４のリレーＲＬ４と、第５の容量性回路１５と、第３の抵抗２３と、を更に含む。
【０１０９】
リレー回路装置４０がリレー回路装置１と相違する点について説明し、リレー回路装置１と同一の点については説明を省略する。
【０１１０】
第４のリレーＲＬ４は、一端が第４のノードＮ４に接続され、他端が第６のノードＮ６に接続されている。
【０１１１】
第５の容量性回路１５は、一端が第４のノードＮ４に接続され、他端が第６のノードＮ６に接続されている。
【０１１２】
第３の抵抗２３は、一端が第４のノードＮ４に接続され、他端が第６のノードＮ６に接続されている。
【０１１３】
電源３の正極は、第６のノードＮ６に接続されている。
【０１１４】
第２の容量性回路１２と第３の容量性回路１３と第５の容量性回路１５との直列回路は、初期時において、電源３により、充電されている。
【０１１５】
第５の容量性回路１５は、抵抗とコンデンサとが直列接続されたＲＣ直列回路とするが、これに限定されない。第５の容量性回路１５は、コンデンサでも良い。
【０１１６】
また、第１の抵抗２１から第３の抵抗２３は、無くても良い。但し、第１の抵抗２１から第３の抵抗２３を設けることで、第３のノードＮ３の電圧及び第４のノードＮ４の電圧を、電源３の電圧を第１の抵抗２１から第３の抵抗２３で抵抗分割した電圧に設定できるので、好ましい。第１の抵抗２１の抵抗値と、第２の抵抗２２の抵抗値と、第３の抵抗２３の抵抗値と、は、実質的に同じであることが好ましい。これにより、第２の容量性回路１２の初期時の電圧と、第３の容量性回路１３の初期時の電圧と、第５の容量性回路１５の初期時の電圧と、を実質的に同じにすることができる。
【０１１７】
第１のリレーＲＬ１から第４のリレーＲＬ４がオンする順序は、４！＝２４であるので、全部で２４パターンある。
【０１１８】
リレー回路装置４０によれば、２４パターンの内のどのパターンであっても、第１のリレーＲＬ１、第２のリレーＲＬ２、第３のリレーＲＬ３及び第４のリレーＲＬ４の全部で、突入電流によるアークが接点間に発生する。従って、第１のリレーＲＬ１、第２のリレーＲＬ２、第３のリレーＲＬ３及び第４のリレーＲＬ４の全部で、接点表面の被膜を除去でき、接点間の導通を良好に維持できる。
【０１１９】
本発明のいくつかの実施の形態を説明したが、これらの実施の形態は、例として提示したものであり、発明の範囲を限定することは意図していない。これら実施の形態は、その他の様々な形態で実施されることが可能であり、発明の要旨を逸脱しない範囲で、種々の省略、置き換え、変更を行うことができる。これら実施の形態やその変形は、発明の範囲や要旨に含まれると同様に、特許請求の範囲に記載された発明とその均等の範囲に含まれるものである。
【符号の説明】
【０１２０】
１、３０、４０、１００、１１０  リレー回路装置
２、１０４  負荷回路
３、１０５  電源
１１  第１の容量性回路
１２  第２の容量性回路
１３  第３の容量性回路
１４  第４の容量性回路
１５  第５の容量性回路
１１１  容量性回路
２１  第１の抵抗
２２  第２の抵抗
２３  第３の抵抗
１０６  制御部
Ｎ１  第１のノード
Ｎ２  第２のノード
Ｎ３  第３のノード
Ｎ４  第４のノード
Ｎ５  第５のノード
Ｎ６  第６のノード
ＲＬ１  第１のリレー
ＲＬ２  第２のリレー
ＲＬ３  第３のリレー
ＲＬ４  第４のリレー
【図１】
2019192404.tif 000003
【図２】
2019192404.tif 000004
【図３】
2019192404.tif 000005
【図４】
2019192404.tif 000006
【図５】
2019192404.tif 000007
【図６】
2019192404.tif 000008
【図７】
2019192404.tif 000009
【図８】
2019192404.tif 000010
【図９】
2019192404.tif 000011
【図１０】
2019192404.tif 000012
【図１１】
2019192404.tif 000013
【図１２】
2019192404.tif 000014
【図１３】
2019192404.tif 000015
【図１４】
2019192404.tif 000016
【図１５】
2019192404.tif 000017